【手続補正書】
【提出日】平成17年3月1日(2005.3.1)
【手続補正１】
【補正対象書類名】明細書
【補正対象項目名】特許請求の範囲
【補正方法】変更
【補正の内容】
【特許請求の範囲】
【請求項１】
入力された情報に基づいて、取得した番組編成情報から検索して番組予約を行う番組記録予約装置において、番組編成情報と番組を取得する手段と、ユーザーの放送番組に対する番組嗜好情報を記録する番組嗜好記録手段と、前記取得した番組編成情報から前記記録した番組嗜好情報と類似する番組を検索する嗜好番組検索手段と、前記検索された類似する番組を自動的または選択的に番組予約するとともに、前記番組予約する際に、更新された番組編成情報を基に再放送または繰り返し放送の重複部分を検索して重複予約を回避するように番組予約スケジュールを動的に編集する番組予約情報比較・更新手段とを備えた番組記録予約装置。
【請求項２】
前記番組嗜好情報は、ユーザーが番組視聴及び番組予約する番組のタイトルやジャンルの番組情報の履歴であることを特徴とする請求項１記載の番組記録予約装置。
【請求項３】
前記番組嗜好情報は、番組情報の嗜好の是非をユーザーが入力し学習により求めることを特徴とする請求項１記載の番組記録予約装置。
【請求項４】
前記番組編成情報から前記番組嗜好情報と類似する番組の検索は、ユーザーが視聴した番組または予約した番組に近い番組を優先的に選択することを特徴とする請求項１記載の番組記録予約装置。
【請求項５】
前記番組に近い番組における番組間の近さは、前記番組編成情報に含まれるキーワードの出現頻度であることを特徴とする請求項４記載の番組記録予約装置。
【請求項６】
入力された情報に基づいて、取得した番組編成情報から検索して番組予約を行う番組記録予約方法において、番組編成情報と番組を取得するステップと、ユーザーの放送番組に対する番組嗜好情報を記録するステップと、前記取得した番組編成情報から前記記録した番組嗜好情報と類似する番組を検索するステップと、前記検索された類似する番組を自動的または選択的に番組予約するとともに、前記番組予約する際に、更新された番組編成情報を基に再放送または繰り返し放送の重複部分を検索して重複予約を回避するように番組予約スケジュールを動的に編集するステップとを含む番組記録予約方法。
【手続補正２】
【補正対象書類名】明細書
【補正対象項目名】０００１
【補正方法】変更
【補正の内容】
【０００１】
【発明の属する技術分野】
本発明は、ビデオ・オーディオ及びデータの放送システムにおける受信記録装置及び番組記録予約方法に関するものである。
【手続補正３】
【補正対象書類名】明細書
【補正対象項目名】０００２
【補正方法】変更
【補正の内容】
【０００２】
【従来の技術】
近年、放送のデジタル化の動きが活発になりつつあり、既に衛星デジタル放送が開始され、今後地上波放送もデジタル化される予定である。放送内容をデジタル化することにより、従来の映像・音声に加えデータ放送やデータ放送を用いた番組編成情報の放送も行われている。従来のＶＴＲでは、新聞等で番組を探し、番組の開始時間と終了時間、またはＧコードを入力することで、番組の録画が行なわれていたが、デジタル化にともない数百チャネルの中から所望の番組を視聴または録画することは困難であるため、番組編成表自体も放送し、その番組編成表を用いて視聴および録画を簡易化することが望まれている。また、多チャネルのデジタル放送では、従来のように番組がそのままその時間を表すのではなく、同じ番組が、或る期間の中で繰り返し放送されるようになるため、時間枠を指定して録画予約を行なうのではなく、視聴者は番組自体を選択するだけで、何時に録画するのかといった録画のスケジューリングは自動で行なわれるのが望ましい。さらには、特別番組等により番組編成が変更になったときに、変更された番組編成表を取得して、時々刻々と変化する状況に適応して動的にスケジューリングを変更することが期待されている。以上のような、番組編成情報を利用した応用特許として、番組編成情報の更新に合わせて予約を変更する「ＶＴＲ予約録画自動変更システム」（特開平５−５４４６６号）「情報記録予約装置及び予約方法」（特開平６−２７６５０１号）「番組自動録画予約装置」（特開平７−６５４３７号）「テレビ放送録画システム」（特開平９−４４９３１号）さらに重複した予約を検知し予約取り消しを行ったり別ＶＴＲへの予約として扱ったりする「録画管理装置」（特開平７−２１５１９号）や、番組編成情報をテレビに表示して予約入力を簡単化する「テレビ番組予約方法及びテレビ番組予約機能付きテレビ受信機」（特開平５−２２６７３号）がある。
【手続補正４】
【補正対象書類名】明細書
【補正対象項目名】０００６
【補正方法】変更
【補正の内容】
【０００６】
以上のように構成された番組記録予約装置について、以下にその動作を説明する。受信部制御部２１は、番組編成情報を定期的に受信するために、適当な時間間隔でタイマー９が発生する割り込み信号１１１によって、受信部２が番組及び番組編成信号からなる放送信号１０１を受信するように制御する。分離部３は、受信部２によって受信された番組及び番組編成情報からなる受信信号１０２から番組信号１０３と番組編成情報１０５に分離する。番組編成情報比較・更新部２３は、番組編成情報１０５と番組編成情報記録部５に記録される番組編成情報を比較し、新しいものについて更新記録を行う。番組予約情報比較・更新部７４は、番組予約入力部７から入力される番組予約情報１１０と番組予約情報記録部６に記録される番組予約情報とが時間的に重複するかどうか比較し、重複しない場合には、新規の番組予約情報として番組予約情報記録部６に追加登録し、重複する場合には、番組予約入力部７に指示して、いずれか一方の番組予約情報を取り消すようにしたり、または別の番組記録予約装置に番組予約されたものとして扱う。番組予約情報記録部６に記録される番組予約情報の記録時間にタイマー９が発生する割り込み信号１１１によって、受信部制御部２１は受信部２に番組及び番組編成情報からなる放送信号１０１を受信させ、番組記録部制御部２２は番組記録部４に番組信号の記録を開始させる。
【手続補正５】
【補正対象書類名】明細書
【補正対象項目名】０００８
【補正方法】変更
【補正の内容】
【０００８】
【発明が解決しようとする課題】
しかしながら、上記従来技術のうち、特開平５−５４４６６号、特開平６−２７６５０１号、特開平７−６５４３７号、特開平９−４４９３１号にある予約録画変更方式は、放送延長や特別番組挿入により変更された放送時間を追従して録画開始時刻及び録画終了時刻の再設定をリアルタイムに自動的に行えるが、再設定された録画予約時間帯に別の録画予約が重なっている場合には、一方の録画ができないという問題点があった。また従来例で取り上げた特開平７−２１６１９号にある重複した録画予約を別のＶＴＲに録画予約し直す方式は、同時刻に放送される番組を同時に複数のＶＴＲで録画することはできるが、一つのＶＴＲで放送時刻が重なった番組を同時に録画することができないという問題点があった。また特開平５−２２６７３号にある番組編成情報を利用した番組予約方式は、番組編成情報から予約番組を選択することで予約操作を簡単化できるが、一連の連続番組の一括予約や関連する別の番組の予約支援を行うことはできないという問題点があった。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】変更
【補正の内容】
【００１４】
【課題を解決するための手段】
上記目的を達成するために、本発明の番組記録予約装置は、入力された情報に基づいて、取得した番組編成情報から検索して番組予約を行う番組記録予約装置において、番組編成情報と番組を取得する手段と、ユーザーの放送番組に対する番組嗜好情報を記録する番組嗜好記録手段と、前記取得した番組編成情報から前記記録した番組嗜好情報と類似する番組を検索する嗜好番組検索手段と、前記検索された類似する番組を自動的または選択的に番組予約するとともに、前記番組予約する際に、更新された番組編成情報を基に再放送または繰り返し放送の重複部分を検索して重複予約を回避するように番組予約スケジュールを動的に編集する番組予約情報比較・更新手段とを備えており、これにより、ユーザーの嗜好に沿った番組の番組予約を自動的または選択的に行うことで、ユーザーの番組予約忘れを解消したり、新たな情報提示の機会を提供することができる。
【手続補正９】
【補正対象書類名】明細書
【補正対象項目名】００１５
【補正方法】変更
【補正の内容】
【００１５】
【発明の実施の形態】
本発明の請求項１に記載の発明は、入力された情報に基づいて、取得した番組編成情報から検索して番組予約を行う番組記録予約装置において、番組編成情報と番組を取得する手段と、ユーザーの放送番組に対する番組嗜好情報を記録する番組嗜好記録手段と、前記取得した番組編成情報から前記記録した番組嗜好情報と類似する番組を検索する嗜好番組検索手段と、前記検索された類似する番組を自動的または選択的に番組予約するとともに、前記番組予約する際に、更新された番組編成情報を基に再放送または繰り返し放送の重複部分を検索して重複予約を回避するように番組予約スケジュールを動的に編集する番組予約情報比較・更新手段とを備えたものであり、ユーザーの嗜好に沿った番組の番組予約を自動的または選択的に行うことで、ユーザーの番組予約忘れを解消したり、新たな情報提示の機会を提供することができるという作用を有する。
【手続補正１０】
【補正対象書類名】明細書
【補正対象項目名】００１６
【補正方法】変更
【補正の内容】
【００１６】
本発明の請求項２に記載の発明は、前記番組嗜好情報は、ユーザーが番組視聴及び番組予約する番組のタイトルやジャンルの番組情報の履歴であることを特徴としたものである。
【手続補正１１】
【補正対象書類名】明細書
【補正対象項目名】００１７
【補正方法】変更
【補正の内容】
【００１７】
本発明の請求項３に記載の発明は、前記番組嗜好情報は、番組情報の嗜好の是非をユーザーが入力し学習により求めることを特徴としたものである。
【手続補正１２】
【補正対象書類名】明細書
【補正対象項目名】００１８
【補正方法】変更
【補正の内容】
【００１８】
本発明の請求項４に記載の発明は、前記番組編成情報から前記番組嗜好情報と類似する番組の検索は、ユーザーが視聴した番組または予約した番組に近い番組を優先的に選択することを特徴としたものである。
【手続補正１３】
【補正対象書類名】明細書
【補正対象項目名】００１９
【補正方法】変更
【補正の内容】
【００１９】
本発明の請求項５に記載の発明は、前記番組に近い番組における番組間の近さは、前記番組編成情報に含まれるキーワードの出現頻度であることを特徴としたものである。
【手続補正１４】
【補正対象書類名】明細書
【補正対象項目名】００２０
【補正方法】変更
【補正の内容】
【００２０】
本発明の請求項６に記載の発明は、入力された情報に基づいて、取得した番組編成情報から検索して番組予約を行う番組記録予約方法において、番組編成情報と番組を取得するステップと、ユーザーの放送番組に対する番組嗜好情報を記録するステップと、前記取得した番組編成情報から前記記録した番組嗜好情報と類似する番組を検索するステップと、前記検索された類似する番組を自動的または選択的に番組予約するとともに、前記番組予約する際に、更新された番組編成情報を基に再放送または繰り返し放送の重複部分を検索して重複予約を回避するように番組予約スケジュールを動的に編集するステップとを含む番組記録予約方法であり、ユーザーの嗜好に沿った番組の番組予約を自動的または選択的に行うことで、ユーザーの番組予約忘れを解消したり、新たな情報提示の機会を提供することができるという作用を有する。
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】削除
【補正の内容】
【手続補正２１】
【補正対象書類名】明細書
【補正対象項目名】００２７
【補正方法】削除
【補正の内容】
【手続補正２２】
【補正対象書類名】明細書
【補正対象項目名】００２８
【補正方法】削除
【補正の内容】
【手続補正２３】
【補正対象書類名】明細書
【補正対象項目名】００２９
【補正方法】削除
【補正の内容】
【手続補正２４】
【補正対象書類名】明細書
【補正対象項目名】００３０
【補正方法】削除
【補正の内容】
【手続補正２５】
【補正対象書類名】明細書
【補正対象項目名】００３４
【補正方法】変更
【補正の内容】
【００３４】
また図４（ａ）は、本発明の第１の実施の形態における番組記録予約装置によって重複した番組記録予約を入力する例を示す図である。図４（ａ）において、１１１ａと１１１ｂは７時３０分から８時３０分にＣＨ１で放送予定のドラマ、１１２ａおよび１１２ｂは９時から１１時までの時間にＣＨ１で放送予定のバラエティ番組、１１３ａおよび１１３ｂは８時から１０時までの時間にＣＨ２で放送予定の映画番組、１１４ａおよび１１４ｂは１１３ａ、１１３ｂと同じ内容でＣＨ２において異なる時間帯に放送予定の映画番組である。
【手続補正２６】
【補正対象書類名】明細書
【補正対象項目名】００４８
【補正方法】変更
【補正の内容】
【００４８】
以上のように、上記第３の実施の形態によれば、番組再生部４５と番組嗜好記録部４６と、スケジュール管理部４８に嗜好番組検索部５５と番組予約情報比較・更新部５４を設けることにより、嗜好番組検索部５５が、番組嗜好記録部４６に記録される再生頻度の高い番組のタイトルやジャンルなどの番組情報及び番組予約情報記録部６に記録される予約頻度の高い番組のタイトルやジャンルなどの番組情報と、その番組情報に類似する番組を番組編成情報記録部５から検索し、番組予約情報比較・更新部５４が検索された類似番組の番組予約を自動的または選択的に行うことで、ユーザーの嗜好に沿った番組の自動的または選択的な番組予約を行うことができる。
【手続補正２７】
【補正対象書類名】明細書
【補正対象項目名】００４９
【補正方法】変更
【補正の内容】
【００４９】
なお、上に説明した本発明の第１、第２、第３の実施の形態で示した例は本発明のほんの一部の事例に過ぎず、様々なスケジュールの組み合わせを行うことができることはいうまでもない。さらに番組の記録予約だけでなく、視聴および視聴の予約において用いることもできる。また、視聴者の入力でなく自動的に入力された番組記録予約については、視聴者の入力による番組記録予約と予約時間が重複する場合には、優先的に予約の移動や解除を行ってもよいし、そのようにしなくてもよい。また、番組間の近さを求める方法は、上述の事例ではキーワードの出現頻度としたが、視聴者によって明示的に与えてもよいし、その都度視聴者から推測に関する是非を入力し学習してもよいし、その他の方法を用いてもよい。
【手続補正２８】
【補正対象書類名】明細書
【補正対象項目名】００５０
【補正方法】削除
【補正の内容】
【手続補正２９】
【補正対象書類名】明細書
【補正対象項目名】００５１
【補正方法】削除
【補正の内容】
【手続補正３０】
【補正対象書類名】明細書
【補正対象項目名】００５２
【補正方法】変更
【補正の内容】
【００５２】
【発明の効果】
以上のように、本発明によれば、番組編成情報と番組を取得する手段と、ユーザーの放送番組に対する番組嗜好情報を記録する番組嗜好記録手段と、取得した番組編成情報から記録した番組嗜好情報と類似する番組を検索する嗜好番組検索手段と、検索された類似する番組を自動的または選択的に番組予約するとともに、番組予約する際に、更新された番組編成情報を基に再放送または繰り返し放送の重複部分を検索して重複予約を回避するように番組予約スケジュールを動的に編集する番組予約情報比較・更新手段とを備えているので、ユーザーの嗜好に沿った番組の番組予約を自動的または選択的に行うことで、ユーザーの番組予約忘れを解消したり、新たな情報提示の機会を提供することができる。
【手続補正３１】
【補正対象書類名】明細書
【補正対象項目名】図面の簡単な説明
【補正方法】変更
【補正の内容】
【図面の簡単な説明】
【手続補正３２】
【補正対象書類名】明細書
【補正対象項目名】図９
【補正方法】変更
【補正の内容】
【図９】
本発明の第３の実施の形態における番組記録予約装置によって視聴者の嗜好を反映した組記録予約を行う例を示す図
【手続補正３３】
【補正対象書類名】明細書
【補正対象項目名】図１５
【補正方法】変更
【補正の内容】
【図１５】
従来の番組記録予約装置によって視聴者の嗜好を反映した番組記録予約を行う例を示す図